(57)【特許請求の範囲】
【請求項１】
一方の第１側面から他方の第２側面へ向う幅方向にシート状媒体を積層して収納するための収納ポケットと、
前記収納ポケットの前端側から前記シート状媒体を送り込む送り込みローラと、
前記送り込みローラに前記シート状媒体を押し付ける押さえローラと、
前記第１側面に対して接近および離間方向に回動する押し出しレバーと、
前記第２側面に配設され、前記送り込みローラおよび前記押さえローラによって前記収納ポケットに送り込まれている状態の前記シート状媒体を前記第１側面に案内するとともに、前記シート状媒体を前記第１側面に押し付ける媒体押さえ部材と、
前記第２側面の前端側部分に配設され、前記ニップ部から送り込まれる前記シート状媒体を、前記送り込みローラと前記押えローラとによる前記シート状媒体の送り込み方向に対して前記第１側面の側に傾斜した方向に導く傾斜ガイド面と、を有し、
前記送り込みローラと前記押さえローラとによって前記シート状媒体が送り込まれている時、前記押し出しレバーは前記傾斜ガイド面から突出することなく、前記傾斜ガイド面で前記シート状媒体はガイドされ、送り込みローラと押さえローラとによる前記シート状媒体の送り込みが終了した後、前記押し出しレバーは前記傾斜ガイド面から前記第１側面の側に突出して前記シート状媒体の後端部分を前記第１側面の側に押し出すことを特徴とするシート状媒体収納装置。
【請求項２】
請求項１において、
前記押し出しレバーを前記第１側面に向けて付勢している付勢部材を有していることを特徴とするシート状媒体収納装置。
【請求項３】
請求項２において、
前記押し出しレバーの先端が前記第１側面に最も接近したときには、この先端は前記送り込みローラよりも前記第１側面の側に位置していることを特徴とするシート状媒体収納装置。
【請求項４】
請求項２または３において、
前記押し出しレバーの回動中心は、前記押さえローラの回転中心と一致していることを特徴とするシート状媒体収納装置。
【請求項５】
請求項２または３において、
前記押し出しレバーの回転中心は、前記収納ポケットの前後方向において前記ニップ部から前記傾斜ガイド面が形成されている範囲に位置していることを特徴とするシート状媒体収納装置。
【請求項６】
請求項１ないし６のうちのいずれか１の項において、
前記送り込みローラの両端部分には、その外周面から放射状に突出している突起が形成されていることを特徴とするシート状媒体収納装置。
【発明の詳細な説明】
【技術分野】
【０００１】
本発明は、小切手処理装置などの媒体処理装置に用いられるシート状媒体収納装置に関する。より詳細には、前後方向に長い溝からなる収納ポケットにシート状媒体を前端側から送り込んで収納するシート状媒体収納装置に関する。
【背景技術】
【０００２】
シート状媒体を処理するための媒体処理装置としては小切手類を処理するための小切手処理装置が知られている。小切手処理装置は、小切手類を挿入する供給部と、イメージスキャナおよび磁気ヘッドが配置された搬送路と、これらによって画像および磁気インク文字が読み取られた後に搬送路から排出される小切手類を一時保管する小切手収納部を備えている。このような小切手処理装置は、例えば、特許文献１に開示されている。
【０００３】
小切手収納部は細長い小切手を立たせた状態で収納するために、前後方向に長い溝からなる収納ポケットを備えている。収納ポケットの前端側には、送り込みローラおよびこの送り込みローラに小切手を押し付けるための押さえローラが配置されており、搬送路から排出された小切手はこれら送り込みローラ対によって収納ポケットへ送り込まれる。収納ポケット内には、送り込みローラ対によって送り込まれている状態の小切手をその一方の内壁面に案内するとともに、送り込みが終わった小切手をその一方の内壁面に押し付ける垂直押さえ板が取り付けられており、小切手は一方の内壁面から他方の内壁面に向けて収納ポケットの幅方向に積層された状態で収納される。
【特許文献１】特開２００４−２０６３６２号公報
【発明の開示】
【発明が解決しようとする課題】
【０００４】
ここで、収納ポケットに送り込まれる小切手が薄い場合や小切手に所謂「腰」がない場合には、送り込まれている状態の小切手を垂直押さえ板で一方の内壁面に案内しても、小切手が途中で撓んでしまい、その後端部分が送り込みローラ対のニップ部に近い位置に留まってしまうことがある。こうなると、小切手の後端部分は次に収納ポケットに送り込まれてくる小切手の進入路を塞いでしまうので、後続の小切手がこの小切手に衝突してジャミング状態に陥ってしまう可能性が高い。
【０００５】
本発明の課題は、このような点に鑑みて、収納ポケットに送り込まれたシート状媒体を後続のシート状媒体の進入路を塞がない位置まで移動させることができるシート状媒体収納装置を提案することにある。
【課題を解決するための手段】
【０００６】
上記の課題を解決するために、本発明のシート状媒体収納装置は、一方の第１側面から他方の第２側面へ向う幅方向にシート状媒体を積層して収納するための収納ポケットと、前記収納ポケットの前端側から前記シート状媒体を送り込む送り込みローラと、前記送り込みローラに前記シート状媒体を押し付ける押さえローラと、前記第１側面に対して接近および離間方向に回動する押し出しレバーと、前記第２側面の前端側部分に配設され、前記ニップ部から送り込まれる前記シート状媒体を、前記送り込みローラと前記押えローラとによる前記シート状媒体の送り込み方向に対して前記第１側面の側に傾斜した方向に導く傾斜ガイド面と、を有し、前記送り込みローラと前記押さえローラとによって前記シート状媒体が送り込まれている時、前記押し出しレバーは前記傾斜ガイド面から突出することなく、前記傾斜ガイド面で前記シート状媒体はガイドされ、送り込みローラと押さえローラとによる前記シート状媒体の送り込みが終了した後、前記押し出しレバーは前記傾斜ガイド面から前記第１側面の側に突出して前記シート状媒体の後端部分を前記第１側面の側に押し出すことを特徴とする。
【０００７】
本発明によれば、送り込みが終了してニップ部における挟み込み状態から開放されたシート状媒体は、押し出しレバーによって第１側面の側に移動させられる。従って、例えば、収納ポケットに送り込まれたシート状媒体が撓んでしまい、そのシート状媒体の後端部分がニップ部の周辺に留まろうとしている場合でも、その後端部分は押し出されて第１側面の側に移動する。この結果、先に送り込まれたシート状媒体の後端部分が次に収納ポケットに送り込まれてくるシート状媒体の進入路を塞いでしまうことがない。よって、後続のシート状媒体がこのシート状媒体に衝突してジャミング状態に陥ってしまうことを回避できる。
【０００８】
本発明において、前記押し出しレバーを前記第１側面に向けて付勢している付勢部材を有していることが望ましい。
【０００９】
この場合において、収納ポケットに送り込まれたシート状媒体をニップ部の周辺から確実に遠ざけるとともに、シート状媒体を第１側面の側まで押し込むためには、前記押し出しレバーの先端が前記第１側面に最も接近したときには、この先端は前記送り込みローラよりも前記第１側面の側に位置していることが望ましい。
【００１０】
ここで、送り込みローラおよび押さえローラによって収納ポケットに送り出された直後のシート状媒体の後端部分を第１側面の側に送り出すためには、前記押し出しレバーの回動中心は、前記押さえローラの回転中心と一致していることが望ましい。
【００１１】
また、前記押し出しレバーの回転中心は、前記収納ポケットの前後方向において前記ニップ部から前記傾斜ガイド面が形成されている範囲に位置していることが望ましい。このようにすれば、傾斜ガイド面で案内されながら送り込まれたシート状媒体の後端部分が、その傾斜ガイド面に沿った状態のままで留まってしまうことがない。従って、後続のシート状媒体の進入路を塞ぐことがない。
【００１３】
本発明において、前記送り込みローラの両端部分には、その外周面から放射状に突出している突起が形成されていることが望ましい。送り込みローラがこのような突起を備えていれば、送り込みローラはこの突起とニップ部を通過したシート状媒体の後端部分とを係合させて、シート状媒体の後端部分を送り込みローラの回転方向に沿って移動させることができる。シート状媒体の後端部分がニップ部における送り込み方向とは異なる方向に移動するので、次に収納ポケットに送り込まれてくるシート状媒体の進入路を塞いでしまうことを回避できる。また、押さえローラによってシート状媒体を送り込みローラの軸線方向の中央部分に押し付ければ、シート状媒体を「く」の字形状に屈曲させて、シート状媒体に「腰」を発生させることができるので、シート状媒体が送り込みの途中で撓んでしまうことがない。
【発明の効果】
【００１４】
本発明のシート状媒体収納装置によれば、送り込みが終了してニップ部における挟み込み状態から開放されたシート状媒体は、押し出しレバーによって第１側面の側に移動させられる。従って、例えば、収納ポケットに送り込まれたシート状媒体が撓んでしまい、そのシート状媒体の後端部分がニップ部の周辺に留まろうとしている場合でも、その後端部分は押し出されて第１側面の側に移動する。この結果、先に送り込まれたシート状媒体の後端部分が次に収納ポケットに送り込まれてくるシート状媒体の進入路を塞いでしまうことがない。よって、後続のシート状媒体がこのシート状媒体に衝突してジャミング状態に陥ってしまうことを回避できる。
【発明を実施するための最良の形態】
【００１５】
以下に、図面を参照して、本発明のシート状媒体収納装置を採用した小切手処理装置の実施の形態を説明する。
【００１６】
（全体構成）
図１（ａ）および（ｂ）は本実施の形態に係る小切手処理装置を示す斜視図および平面図である。小切手処理装置１は、装置本体側の本体ケース２と、本体ケース２の先端部に取り付けた垂直軸３を中心として左右に開閉可能な開閉カバー４、５とを備えている。本体ケース２と開閉カバー４、５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介して広幅の垂直溝からなる小切手供給部９に繋がっている。小切手搬送路７の下流端は小切手収納部１０に繋がっている。小切手収納部１０は、小切手搬送路７の下流端に繋がっている細幅の垂直溝からなる第１および第２分岐通路１１、１２と、これらの下流端に繋がっている第１収納ポケット１３および第２収納ポケット１４とを備えている。第１および第２分岐通路１１、１２の分岐部分には、小切手搬送路７から排出される小切手６を第１または第２の収納ポケットに振り分けるための切換えレバー１５が配置されている。
【００１７】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００１８】
小切手搬送路７には、図１（ｂ）において点線で示すように、小切手６の表面画像を読み取るための表面側コンタクトイメージスキャナ２１、その裏面画像を読み取るための裏面側コンタクトイメージスキャナ２２、その磁気インク文字を読み取るための磁気ヘッド２３、その表面に「電子決済済み」などの印刷を行う印刷機構２４がこの順序に配置されている。
【００１９】
小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、第１収納ポケット１３に振り分けられて、この収納ポケットに収納される。読取不能、読取異常などが発生した小切手６については、そのような印刷が行われることなく、第２収納ポケット１４に振り分けられて、この収納ポケットに収納される。
【００２０】
（小切手収納部）
図２は小切手処理装置の小切手収納部を示した斜視図である。図３は送り込みローラ、押さえローラおよび押し出しレバーを取り出して示した説明図であり、図３（ａ）はそれらの平面図であり、図３（ｂ）はそれらを収納ポケットの内側から見た側面図である。
【００２１】
図２に示すように、小切手収納部１０は、第１分岐通路１１および第２分岐通路１２と、これらの下流端に繋がっている第１および第２収納ポケット１３、１４を備えている。なお、第１および第２第１収納ポケット１３、１４は同様の構成を備えているので、第１収納ポケット１３を説明して、対応する構成には同一の符合を付して第２収納ポケット１４の説明を省略する。
【００２２】
第１収納ポケット１３は前後方向に長い長方形をした所定深さの溝からなり、平行に延びている左右の第１、第２側板３１、３２、前端板３３および底板３５を備えている。第２側板３２の前端側部分には前端板３３に向かうに連れて第１側板３１から離れる方向に広がっている傾斜ガイド面３６が形成されている。この傾斜ガイド面３６の上流側は第１分岐通路１１の一方の内壁面３７に連続している。
【００２３】
前端板３３の傾斜ガイド面３６側の隣には、小切手６を第１収納ポケット１３へ送り込むための送り込みローラ４０が配置されている。送り込みローラ４０に対峙する第１分岐通路１１の一方の内壁面３７からは、送り込みローラ４０に小切手６を押し付けるための押さえローラ４５が突出している。押さえローラ４５には、送り込みローラ４０および押さえローラ４５によって第１収納ポケット１３の内部に送り込まれた後の小切手６の後端部分６ｄを第１側板３１に向けて押し出すための押し出しレバー４７が取り付けられている。
【００２４】
第１収納ポケット１３の内部には、送り込みローラ４０および押さえローラ４５によって送り込まれている状態の小切手６第１側板３１の側に案内するとともに、送り込みが終了した小切手６を第１側板３１に押し付けて、小切手６を立てた状態で保持するための２枚の垂直押さえ板５１、５２が配置されている。垂直押さえ板５１、５２は、第２側板３２に、第１側板３１に向けて後方に所定の角度で傾斜するように取り付けられており、第２側板３２の側の端部分を回動中心として第１側板３１へ接近する方向および離れる方向へ回動するようになっている。
【００２５】
図３に示すように、送り込みローラ４０は、ローラ本体４１と、このローラ本体４１の外径と同一の外径を備えローラ本体４１の両端から同軸状態で突出している円筒部分４２と、このローラ本体４１と同軸状に形成されローラ本体４１よりも小径の小径部分４３を備えている。送り込みローラ４０はゴムなど弾性部材からなる一体成型品である。円筒部分４２には外周面から半径方向に突出する４個の突起４４が形成されている。これら４個の突起４４は周方向に等間隔に形成されている。また、これらの突起４４は軸線方向においてローラ本体４１の両端４１ａ、４１ｂよりも外側に形成されている。突起４４とローラ本体４１との間は薄肉の円環状部分４２ａとなっている。小径部分４３はローラ本体４１の両端４１ａ、４１ｂの間であって、上側の端４１ａの近傍に形成されている。なお、小径部分４３には、前端板３３と送り込みローラ４０との間を部分的に閉鎖している平板５０の一方の端部分が位置するようになっている（図２参照）。
【００２６】
押さえローラ４５は、回転軸４６と、この回転軸４６に間隔を開けて同軸状に取り付けられている２個の押さえローラ本体４５ａ、４５ｂを備えている。これら押さえローラ本体４５ａ、４５ｂの径は同一径であり、その径は送り込みローラ４０のローラ本体４１の径よりも小さい。また、これら押さえローラ本体４５ａ、４５ｂにおけるそれぞれの外側端面間の距離は送り込みローラ４０のローラ本体４１のローラ長よりも短くなっている。２個の押さえローラ本体４５ａ、４５ｂはローラ本体４１の両端４１ａ、４１ｂの間に弾性的に押し付けられている。
【００２７】
２つの押さえローラ本体４５ａ、４５ｂの間には、これらの回転軸４６を中心として第１側板３１へ接近する方向および離れる方向へ回動可能な押し出しレバー４７が取り付けられている。押し出しレバー４７は回転軸４６に取り付けられた捻りコイルバネ４８によって第１側板３１に向けて付勢されている。図３に示す状態は送り込みローラ４０と押さえローラの間のニップ部Ａに小切手６が挟み込まれていない状態である。この状態では、押し出しレバー４７の回動側の先端４７ａは最も第１側板３１の側に位置しており、先端４７ａは送り込みローラ４０よりも第１側板３１の側へ突出している。
【００２８】
送り込みローラ４０および押さえローラ４５によって前端側から第１収納ポケット１３に送り込まれた小切手６は、傾斜ガイド面３６によって送り込み方向Ｂに対して第１側板３１へ向かうように案内されながら第１収納ポケット１３の内部へ進入する。また、送り込まれた小切手６は、垂直押さえ板５１、５２によって第１側板３１の側に案内され、しかる後に押し付けられて、幅方向に積層された状態で収納される。
【００２９】
ここで、送り込みローラ４０の両端の円筒部分４２には突起４４が形成されており、押さえローラ４５は小切手６をこの円筒部分４２の間のローラ本体４１に押し付けている。従って、薄い小切手や全体が皺になっていて「腰」が弱い小切手６は、図３（ｂ）の２点鎖線で示すように、「く」の字形状に屈曲させられた状態で第１収納ポケット１３に送り込まれる。この結果、小切手６は面外方向の剛性が高まり、送り込み状態の小切手６に「腰」ができるので、小切手６が送り込みの途中で撓んでしまうことがない。
【００３０】
一方、厚手の小切手や真新しい小切手など「腰」の強い小切手６が送り込みローラ対で送り込まれる場合には、突起４４とローラ本体４１との間の薄肉の円環状部分４２ａが内側に撓む。従って、突起４４は半径方向の内側に後退し、「腰」の強い小切手６を強制的に屈曲させてしまうことがない。この結果、小切手６が第１分岐通路１１や第１収納ポケット１３の内壁面などに強い力を伴って摺接することがないので、送り込みローラ４０に作用する送り負荷が過剰になることがない。また、突起４４の摩耗量が増大することがなく、小切手６を送る際の増騒音が増大することもない。
【００３１】
さらに、送り込みローラ４０は、突起４４と、送り込んだ直後の小切手６の後端部分６ｄとを係合させて、その後端位置６ｄをニップ部Ａの送り込み方向Ｂの延長線上から、送り込みローラ４０の回転方向の周方向へ移動させる。
【００３２】
なお、本例の小切手収納部１０では、第１および第２第１収納ポケット１３、１４の後端部分が、後方に引き出し可能な引き出し部１９によって規定されている。この引き出し部１９を図１に示す状態から後方に引き出すと、各第１収納ポケット１３、１４が前後方向に延びる。これにより、長い寸法の小切手６を受け入れて収納することができる。
【００３３】
（小切手の収納動作）
図４（ａ）〜（ｃ）は小切手送り込み動作中における小切手収納部を示す平面図である。図４は、押し出しレバーの動作が分かるように、第１側板および第２側板並びに前端板を上側から覆っているカバーを取り去った状態を示している。なお、第１収納ポケット１３への小切手６の送り込み動作と第２収納ポケット１４への小切手排出動作は同一なので、第１収納ポケット１３への小切手送り込み動作のみを説明する。
【００３４】
まず、小切手６が第１分岐通路１１に搬送されてくると、小切手６は回転している送り込みローラ４０と押さえローラ４５との間に挟み込まれ、第１収納ポケット１３に向けて送り込まれる。上述したように、「腰」がない小切手６が送り込まれる際には、送り込みローラ４０と押さえローラ４５との挟み込みによって「腰」を発生させて、撓みにくい状態で送り込まれるようになっている。
【００３５】
小切手６の先端部分６ｃがニップ部Ａを通過すると、その先端部分６ｃは傾斜ガイド面３６に沿って案内されて送り込み方向Ｂに対して斜めの方向に進む。そして、図４（ａ）に示すように、小切手６の裏面６ｂが傾斜ガイド面３６の角部から第１収納ポケット１３内を第１側板３１の側に向って進入する。ここで、送り込まれている状態の小切手６の裏面６ｂは押し出しレバー４７に摺接して、押し出しレバー４７を送り込み方向Ｂに押している。このため、押し出しレバー４７は傾斜ガイド面３６から第１側板３１の側には突出していない。
【００３６】
次に、小切手６が送り込みローラ４０および押さえローラ４５によって送り込まれている間は、第１収納ポケット１３に進入した小切手６は垂直押さえ板５１、５２によって第１側板３１の側に案内される。
【００３７】
送り込みローラ４０および押さえローラ４５による小切手６の送り込みが終了すると、図４（ｂ）に示すように、送り込みローラ４０は、突起４４と送り込んだ直後の小切手６の後端とを係合させて、その後端部分６ｄの位置をニップ部Ａにおける送り込み方向Ｂの延長線上から送り込みローラ４０の回転方向の周方向へ移動させる。また、小切手６の後端部分６ｄがニップ部Ａにおける挟み込み状態から開放されるので、小切手６の裏面６ｂが押し出しレバー４７を送り込み方向Ｂに押す力がなくなる。この結果、押し出しレバー４７は回動して、傾斜ガイド面３６から第１側板３１の側に突出する。また、垂直押さえ板５１、５２は小切手６を第１側板３１に押し付ける。
【００３８】
そして、図４（ｃ）に示すように、押し出しレバー４７の回動側の先端４７ａが送り込みローラ４０よりも第１側板３１の側に至るまで回動すると、小切手６の後端部分６ｄは第１側板３１の側に押し出され、第１側板３１に沿った状態で収納される。この結果、小切手６は第１収納ポケット１３の第１側板３１の側から整列した状態で収納される。
【００３９】
（押し出しレバーの機能）
図５は、本例の小切手収納部１０における小切手６の収納状態を押し出しレバー４７を備えていない場合と比較して説明するための平面図である。図５（ａ）は押し出しレバーを備えていない場合であり、図５（ｂ）は押し出しレバーを備えている場合である。いずれも「腰」の無い小切手６が第１収納ポケット１３に送り出された状態を示しており、小切手６は送り込みローラ４０および押さえローラ４５によって送り出しが終了した直後に、その後側部分が撓んでしまっている。
【００４０】
図５（ａ）に示すように、押し出しレバー４７を備えていない場合においても、送り込みローラ４０の突起４４が小切手６の後端部分６ｄの位置を送り込みローラ４０の周方向へ移動させている。しかし、小切手６の後端部分６ｄを送り込みローラ４０よりも第１側板３１の側まで移動させることはできないので、次に送り込まれてくる小切手の進入路Ｃを確実に確保できている状態になっていない。
【００４１】
これに対して、押し出しレバー４７を備えている場合には、図５（ｂ）に示すように、小切手６の後端部分６ｄは押し出しレバー４７の先端４７ａの移動に伴って送り込みローラ４０よりも第１側板の側まで移動する。この結果、小切手６の後端部分６ｄがニップ部Ａの周辺に留まってしまうことがないので、次に第１収納ポケット１３に送り込まれる小切手の進入路Ｃを確実に確保することができる。従って、次に送り込まれる小切手がジャミング状態に陥ることがない。
【００４２】
また、押し出しレバー４７によって小切手６の後端部分６ｄが第１側板３１の側に押し出されているので、次に「腰」の強い小切手が送り込まれてくれば、先に送り込まれている小切手６は第１側板３１に沿って整然と収納される。
【００４３】
（その他の実施の形態）
上記の例では、押し出しレバー４７の回動中心は、押さえローラ４５の回転軸４６であったが、回動中心の位置はこれに限られるものではない。図６に例示するように、押し出しレバー４７の回動中心４９は、第１収納ポケット１３の前後方向においてニップ部Ａから傾斜ガイド面３６が形成されている範囲にＤ位置させておくことができる。
【００４４】
このような範囲に押し出しレバー４７の回動中心４９があれば、傾斜ガイド面３６で案内されながら第１収納ポケット１３の内部へ送り込まれた小切手６の後端部分６ｄが傾斜ガイド面３６に沿った状態のままで留まろうとしても、第１側板３１の側に押し出される。従って、次に送り込まれてくる小切手の進入路を塞ぐことがない。
【００４５】
また、本発明は、小切手や手形、請求書などの小切手類以外のシート状媒体を処理するための媒体処理装置の収納装置として用いることができる。例えば、プリンタ、スキャナなどの媒体処理装置に搭載される小切手の収納装置として用いることができる。
【図面の簡単な説明】
【００４６】
【図１】本発明を適用した小切手処理装置の斜視図および平面図である。
【図２】小切手処理装置の小切手収納部を示す斜視図である。
【図３】送り込みローラ、押さえローラおよび押し出しレバーの説明図である。
【図４】小切手送り込み動作中における小切手収納部を示す平面図である。
【図５】押し出しレバーの配置例を説明するための平面図である。
【図６】押し出しレバーの回動中心を配置する範囲を示す説明図である。
【符号の説明】
【００４７】
１  小切手処理装置、２  本体ケース、３  垂直軸、４，５  開閉カバー、６  小切手、７  小切手搬送路、８  小切手送り出し通路、９  小切手供給部、１０  小切手収納部、１１  第１分岐通路、１２  第２分岐通路、１３  第１収納ポケット、１４  第２収納ポケット、１５  切換レバー、１９  引き出し部、２１  表面側コンタクトイメージスキャナ、２２  裏面側コンタクトイメージスキャナ、２３  磁気ヘッド、２４  印刷機構、３１，３２  側板、３３  前端板、３４  延設部分  ３５  底面、３６  傾斜ガイド面、３７，３８  分岐通路の内壁面、４０  送り込みローラ、４１  ローラ本体、４２  円筒部分、４３  小径部分、４４  突起、４５  押さえローラ、４６  回転軸、４７  押し出しレバー、４８  捻りコイルバネ、４９  回動中心、５１，５２  垂直押さえ板、５３  巻き込み防止用板、５４  巻き込み防止用リブ、Ａ  ニップ部、Ｂ  送り込み方向、Ｃ 小切手の進入路、Ｄ  押し出しレバーの回動中心を位置させる範囲
【図１】
0004882907.tif 000002
【図２】
0004882907.tif 000003
【図３】
0004882907.tif 000004
【図４】
0004882907.tif 000005
【図５】
0004882907.tif 000006
【図６】
0004882907.tif 000007